(57)【要約】【課題】杭の頭部に真上から大きな力を加えることができると共に、杭に特別な要件を求めることがなく汎用性が高い杭打ち器を提供する。【解決手段】杭打ち器１は、一端側が金属製の中実部１１となり残余が中空の筒部１３となっていると共に、軸方向に直交する断面の外形が単一である長尺棒状の杭打ち器本体１０を具備する。中実部１１の重さを利用して杭Ｐに大きな力を加えることができ、労力負担を低減して杭Ｐを地中に打ち込むことができる。【選択図】図１
2011184874.tif 000002
【特許請求の範囲】
【請求項１】
一端側が金属製の中実部となり残余が中空の筒部となっていると共に、軸方向に直交する断面の外形が単一である長尺棒状の杭打ち器本体を、具備することを特徴とする杭打ち器。
【請求項２】
前記中実部は、前記筒部側とは反対側の端部に螺子溝を備えており、
該螺子溝と螺合する螺子軸を一端に備えると共に、他端に前記螺子溝と同一構成の延設体螺子溝を備える、金属製で中実の延設体を更に備具備する
ことを特徴とする請求項１に記載の杭打ち器。
【請求項３】
前記杭打ち器本体の軸方向に直交する方向の断面より外形の大きな底部を有する有底筒状の補助具本体、及び、前記底部から前記補助具本体の開口端とは反対側に延び前記筒部内に挿入可能な軸部を備える接続用補助具を、更に具備することを特徴とする請求項１または請求項２に記載の杭打ち器。
【請求項４】
前記筒部内に挿入可能な長尺棒状で、一端に円錐状または角錐状の先鋭部を備えると共に、軸方向に直交する方向に貫通する孔部を他端側に備える仮打ち棒を、更に具備することを特徴とする請求項１乃至請求項３の何れか一つに記載の杭打ち器。
【発明の詳細な説明】
【技術分野】
【０００１】
本発明は、手動で杭を打ち込む際に用いる杭打ち器に関するものである。
【背景技術】
【０００２】
杭を地中に打ち込む場合、通常は木槌などのハンマーで杭の頭部を繰り返し叩いて、杭の下端側を地中に埋入させる。ところが、ハンマーを振り下ろし正確に杭の頭部に当てるには、ある程度の熟練が必要である。また、杭を鉛直に打ち込むためには、杭の真上から力が加えられる必要があるところ、ハンマーによる打撃によって杭の真上から力を加えることは難しく、杭が傾いてしまいやすい。
【０００３】
そこで、従来、図７（ａ）に示すように、パイプ１０１内部に仕切り１０２が設けられると共に、パイプ１０１の外周面に複数の取手１０３が設けられた杭打ち器１００が提案されている（特許文献１参照）。このような構成により、パイプ１０１内に杭１０９を挿し込み、取手１０３を把持してパイプ１０１を上下運動させるという簡易な動作で、仕切り１０２を杭１０９の頭部に当てて打撃を加えることができると共に、杭１０９の頭部に真上から力を加えやすい。なお、特許文献１の杭打ち器１００は、仕切り１０２をパイプ１０１の中央より一方の端部１０４側に偏った位置に設けることにより、一方の開口１０４と他方の開口１０５とで仕切り１０２までの距離が異なっており、杭１０９を挿し込む開口１０４，１０５を杭の長さに応じて選択するものとなっている。
【０００４】
一方、円筒状のハンマー１１１に杭１１２を挿通し、ハンマー１１１を自然落下させることによって杭１１２を地中に打ち込むものが提案されている（特許文献２参照）。これは、図７（ｂ）に示すように、杭１１２の下端近傍に円環状に突出した衝撃受け面１１２ｓが設けられており、１ｋｇ〜１５ｋｇの重さを有する円筒状のハンマー１１１を、杭１１２を挿通させた状態で上方から自然落下させ、衝撃受け面１１２ｓに衝突させることにより、杭１１２に真上からの力を加えて地中に打ち込むものである。
【発明の概要】
【発明が解決しようとする課題】
【０００５】
しかしながら、特許文献１の杭打ち器１００では、杭１０９に加えられる衝撃力は、取手１０３を把持してパイプ１０１を上下させる作業者の力に依存し、杭１０９に大きな力を加えにくいという問題があった。一方、特許文献２では、ハンマー１１１の重量を利用して比較的大きな力を杭１１２に加えることができるメリットがあるものの、衝撃受け面１１２ｓが設けられている特殊な杭１１２のみを対象とするため、汎用性がないという問題があった。
【０００６】
そこで、本発明は、上記の実情に鑑み、杭の頭部に真上から大きな力を加えることができると共に、杭に特別な要件を求めることがなく汎用性が高い杭打ち器、の提供を課題とするものである。
【課題を解決するための手段】
【０００７】
上記の課題を解決するため、本発明にかかる杭打ち器は、「一端側が金属製の中実部となり残余が中空の筒部となっていると共に、軸方向に直交する断面の外形が単一である長尺棒状の杭打ち器本体を」具備している。
【０００８】
「軸方向に直交する断面の外形が単一である長尺棒状」としては、断面の外形が円形の丸棒状、または断面の外形が四角形の角棒状とすることができる。また、「一端側が金属製の中実部となり残余が中空の筒部となっている」構成は、例えば、パイプの内径より僅かに小さな外径を有すると共に、軸方向の長さがパイプより短い中実の金属棒をパイプ内に挿入し、それぞれの一端を一致させた状態で両者を圧着・溶着等により一体化することにより得ることができる。或いは、外径の等しいパイプと中実の金属棒のそれぞれの一端を、両者の軸方向が一致するように接合することにより得ることができる。また、或いは、中実の金属棒の一端側をくり抜いて中空とすることにより得ることができる。
【０００９】
上記構成の杭打ち器を使用して杭を地中に打ち込む際は、杭打ち器本体を筒部が下方に開放するように把持し、地面に鉛直に立てた杭の頭部側を筒部に挿通させた状態で、杭打ち器本体を上下運動させる。これにより、中実部の下端（筒部側の端部）を杭の頭部に打ち付け、杭の頭部に真上から力を加えて、杭を地中に打ち込むことができる。そして、金属製の中実部は重いため、その重さを利用して杭に大きな力を加えることができ、労力負担を低減して杭を地中に打ち込むことができる。
【００１０】
更に、上記構成の杭打ち器は、対象とする杭に対して、筒部に挿通できること以外は他の要件を何ら求めることがないため、汎用性が高い。
【００１１】
加えて、杭打ち器本体において中実部と筒部は軸方向に直交する断面の外形が等しく、杭打ち器本体は断面の外形が単一で突出する部分のない棒状であるため、嵩張ることなく杭と一緒に束ねることができる。これにより、上記構成の杭打ち器は、運搬が容易であると共に保管の際にスペースを要しない利点をも有する。
【００１２】
本発明にかかる杭打ち器は、上記構成に加え、「前記中実部は、前記筒部側とは反対側の端部に螺子溝を備えており、該螺子溝と螺合する螺子軸を一端に備えると共に、他端に前記螺子溝と同一構成の延設体螺子溝を備える、金属製で中実の延設体を」具備するものとすることができる。
【００１３】
上記構成により、杭打ち器本体において中実部の端部に形成されている螺子溝に、延設体の螺子軸を螺合させることにより、杭打ち器本体と延設体とが一体化される。そして、延設体は中実の金属製であるため、延設体を取り付けることによって中実部の長さが延長されたのと同様の構成となり、杭打ち器の重さが増加する。これにより、その重さを利用して、更に大きな力を杭に加えることができる。
【００１４】
また、延設体は、杭打ち器本体の中実部に形成された螺子溝と同一構成の延設体螺子溝を備えているため、複数の延設体を杭打ち器本体に連設することが可能となる。すなわち、杭打ち器本体に取り付けられた延設体の延設体螺子溝に、他の延設体の螺子軸を螺合させることにより、複数の延設体を次々に杭打ち器本体に取り付けることができる。これにより、杭を打ち込む地面の硬さや、杭打ち器を使用する作業者の体力などに応じて、延設体の数を変化させ、杭打ち器の重さを調整することができる。
【００１５】
そして、延設体の取り付けは螺子溝または延設体螺子溝と螺子軸との螺合によるものであり、杭打ち器本体に対する延設体の着脱は極めて容易である。これにより、杭打ち器の重さの調整を、極めて容易に行うことができる。
【００１６】
本発明にかかる杭打ち器は、上記構成に加え、「前記杭打ち器本体の軸方向に直交する方向の断面より外形の大きな底部を有する有底筒状の補助具本体、及び、前記底部から前記補助具本体の開口端とは反対側に延び前記筒部内に挿入可能な軸部を備える接続用補助具を」具備するものとすることができる。
【００１７】
上記構成の接続用補助具は、次にように使用することができる。まず、地面に鉛直に立てた杭の頭部側を、有底筒状の補助具本体における筒状の部分に挿通する。これにより、補助具本体の軸部は上方に向かって突出するため、この軸部を、筒部が下方に開放するように把持した杭打ち器本体の筒部に挿通する。このとき、軸部の上端が杭打ち器本体の中実部に達するように軸部の長さを設定すれば、杭打ち器本体を軸部に沿って上下運動させることにより、軸部が中実部によって打ち付けられ、軸部及び底部を介して杭の頭部に衝撃力が加えられるため、この力によって杭を地中に打ち込むことができる。或いは、軸部が杭打ち器本体の中実部に達しない長さの場合であっても、底部は杭打ち器本体の軸方向に直交する方向の断面より外形が大きいため、杭打ち器本体を軸部に沿って上下運動させれば、杭打ち器本体の下端が底部に打ち付けられる。これにより、底部を介して杭の頭部に衝撃力が加えられ、この力によって杭を地中に打ち込むことができる。
【００１８】
このように接続用補助具を使用することにより、杭打ち器本体の筒部に挿通できない太さであっても、補助具本体に挿通できる太さの杭を、地中に打ち込むことが可能となる。また、杭打ち器本体の筒部の断面が円形で、杭の断面が四角形である場合など、両者の断面形状が異なる場合に、杭の断面形状に応じた断面形状を有する補助具本体を備える接続用補助具を使用することにより、杭のがたつきを低減して杭を鉛直に打ち込み易いものとなる。従って、接続用補助具を具備することにより、対象とする杭の範囲が広いものとなり、杭打ち器の汎用性がより高められる。そして、補助具本体の断面の形状や大きさの異なる種々の接続用補助具を備えることにより、更に杭打ち器の汎用性を高めることができる。
【００１９】
本発明にかかる杭打ち器は、上記構成に加え、「前記筒部内に挿入可能な長尺棒状で、一端に円錐状または角錐状の先鋭部を備えると共に、軸方向に直交する方向に貫通する孔部を他端側に備える仮打ち棒を」具備するものとすることができる。
【００２０】
上記構成の仮打ち棒は、先鋭部を地中に挿し込み鉛直に立てた状態で、上端側を杭打ち器本体の筒部に挿通させ、上述と同様に杭打ち器本体を上下運動させることにより、杭の代わりに地中に打ち込むことができる。その後、仮打ち棒を地中から引き抜けば、その引き抜き跡に杭を容易に打ち込むことができる。従って、仮打ち棒を具備することにより、先端が尖っていない杭を地中に打ち込むことが可能となり、より汎用性の高い杭打ち器となる。
【００２１】
また、仮打ち棒には、上端側（先鋭部とは反対側）に孔部が設けられているため、ここに剛性の高い棒状部材を挿し込めば、この棒状部材をハンドルとして把持し、容易に仮打ち棒を地中から引き抜くことができる。
【発明の効果】
【００２２】
以上のように、本発明の効果として、杭の頭部に真上から大きな力を加えることができると共に、杭に特別な要件を求めることがなく汎用性が高い杭打ち器を提供することができる。
【図面の簡単な説明】
【００２３】
【図１】本発明の一実施形態の杭打ち器の（ａ）縦断面図、及び（ｂ）使用方法の説明図である。
【図２】図１の杭打ち器が備える延設体の構成及び使用方法を説明する縦断面図である。
【図３】図１の杭打ち器が備える仮打ち棒を備えた場合の（ａ）縦断面図、及び（ｂ）使用方法の説明図である。
【図４】図１の杭打ち器が備える接続用補助具の（ａ）縦断面図、及び（ｂ）斜視図である。
【図５】図５の接続用補助具の使用方法を説明する縦断面図である。
【図６】接続用補助具の他の例を示す斜視図である。
【図７】従来技術の説明図である。
【発明を実施するための形態】
【００２４】
以下、本発明の一実施形態である杭打ち器１について説明する。杭打ち器１は、図１（ａ）に示すように、一端側が金属製の中実部１１となり残余が中空の筒部１３となっていると共に、軸方向に直交する断面の外形が単一である長尺棒状の杭打ち器本体１０を具備している。
【００２５】
より詳細に説明すると、杭打ち器本体１０は、軸方向に直交する断面の外形が円形の金属製のパイプ１５に、パイプ１５の内径より僅かに小さな外径を有すると共に、軸方向の長さがパイプ１５より短い中実の金属棒１６を挿入し、パイプ１５の一端と金属棒１６の一端とを一致させた状態で、両者を一体化することにより形成されている。具体的には、パイプ１５の外周面を部分的に内側に向けて押圧することにより、パイプ１５の一部を金属棒１６に食い込ませて両者を一体化すると共に、端部近傍で両者を溶接することにより、一体化された状態をより強固なものとしている。
【００２６】
ここで、パイプ１５内部に金属棒１６が挿入されて両者が一体化されている部分が中実部１１であり、パイプ１５のみから構成される部分が筒部１３である。従って、上記構成の杭打ち器本体１０において、軸方向に直交する断面の外形はパイプ１５の軸方向に直交する断面の外形であり、大きさの単一な円形である。
【００２７】
杭打ち器１で杭Ｐを地中に打ち込む際は、図１（ｂ）に示すように、杭打ち器本体１０を筒部１３が下方に開放するように把持し、地面に鉛直に立てた杭Ｐの頭部側を筒部１３に挿通させた状態で、杭打ち器本体１０を上下運動させる（図示、矢印方向）。これにより、中実部１１の下端１１ｅを杭Ｐの頭部に打ち付け、杭Ｐに真上から力を加えて地中に打ち込むことができる。そして、金属製の中実部１１の重さを利用して杭Ｐに大きな力を加えることができる。
【００２８】
更に、本実施形態の杭打ち器１は、図２に示すように、複数の延設体２０を取り付けられる構成となっている。すなわち、杭打ち器本体１０の中実部１１は、筒部１３側とは反対側の端部に螺子溝１２を備えている。そして、延設体２０は金属製で中実の部材であり、螺子溝１２と螺合する螺子軸２１を一端に備えると共に、他端に螺子溝１２と同一構成の延設体螺子溝２２を備えている。加えて、本実施形態の延設体２０は、螺子軸２１を螺子溝１２に螺合させた状態で、軸方向に直交する断面の外形が杭打ち器本体１０と同一となるよう形成されている。
【００２９】
より詳細には、延設体２０は、上記のパイプ１５と同一の外径を有する金属製で中実の丸棒状部材を、所定長さに切断した部材を用いて形成されている。そして、その一端には螺子軸２１が溶接されていると共に、他端にはタップを用いて溶接体螺子溝１２が形成されている。ここで、溶接体螺子溝１２と杭打ち器本体１０の中実部１１に形成された螺子溝１２とは、同一型のタップを用いて形成されることにより、共に螺子軸２１と螺合可能な構成となっている。
【００３０】
上記構成により螺子溝１２に螺子軸２１を螺合させることにより、延設体２０が杭打ち器本体１０と一体化される。そして、杭打ち器本体１０に取り付けられた延設体２０の延設体螺子溝２２に、他の延設体２０の螺子軸２１を螺合させることにより、複数の延設体２０を次々に杭打ち器本体１０に取り付けることができる。例えば、杭を打ち込む地面が硬い場合や、杭を打ち込む作業を行う者が体力に富む場合は、杭打ち器本体１０に取り付ける延設体２０の数を増加させることにより、杭打ち器本体１０及び延設体２０の総重量を増加させ、杭の頭部に加えられる力を増加させて効率良く杭を地中に打ち込むことができる。
【００３１】
そして、螺子軸２１と螺子溝１２との螺合及びその解除により、杭打ち器本体１０に対する延設体２０の着脱は極めて容易である。また、螺子軸２１と延設体螺子溝２２との螺合及びその解除により、杭打ち器本体１０に取り付けられる延設体２０の数を、容易に変化させることができる。
【００３２】
本実施形態の杭打ち器１は、上記構成に加え、図３に示すように、筒部１３内に挿入可能な長尺棒状で、一端に円錐状または角錐状の先鋭部３１を備えると共に、軸方向に直交する方向に貫通する孔部３２を他端側に備える仮打ち棒３０を具備している。
【００３３】
このような仮打ち棒３０は、中実または中空の長尺棒状の部材を用いて形成することができるが、本実施形態では、円筒状のパイプを使用し、パイプの先端に、単管打ち込みキャップと称される市販の円錐形部材を取り付けて先鋭部３１としている。なお、先鋭部は、パイプの端部を圧潰して先端を尖らせることによって形成することもできる。
【００３４】
仮打ち棒３０は、杭打ち器本体１０の筒部１３に挿入可能な径を有するものとする必要があるが、筒部１３の内径より僅かに小さな外径を有するものとし、筒部１３内に摺動可能に嵌挿される構成とすれば、筒部１３内でのがたつきがなく、鉛直に地中に打ち込み易いため好適である。なお、仮打ち棒の軸方向に直交する方向の断面の形状については、杭打ち器本体の筒部と同形であることが望ましく、杭打ち器本体の筒部が角筒状である場合は、仮打ち棒も角棒状とすれば、筒部に仮打ち棒を挿入した状態でがたつきが生じにくい。ここで、仮打ち棒角棒状とする場合は、先鋭部を角錐状とする。
【００３５】
上記のような仮打ち棒３０は、図３（ａ）に示すように、先鋭部３１を地中に挿し込み鉛直に立てた状態で、上端側を杭打ち器本体１０の筒部１３に挿通させ、杭打ち器本体１０を上下運動させることにより、杭の代わりに地中に打ち込むことができる。そして、仮打ち棒３０を地中から引き抜けば、引き抜き跡に杭を容易に打ち込むことができる。これにより、例えば、端部が尖っていない杭であっても、容易に地中に打ち込むことが可能となる。
【００３６】
ここで、仮打ち棒３０を地中から引き抜く際は、仮打ち棒３０の上端側（先鋭部３１とは反対側の端部側）に設けられている孔部３２に、剛性が高く仮打ち棒３０の径より長い棒状部材９０を挿し込む。そのようにすると、図３（ｂ）に示すように、仮打ち棒３０を貫通した棒状部材９０の両端側を、それぞれ孔部の開口から外側に突出させることができるため、この部分をハンドルとして把持して引張れば、仮打ち棒３０を容易に引き抜くことができる。
【００３７】
本実施形態の杭打ち器１は、上記構成に加え、図４に示すように、杭打ち器本体１０の軸方向に直交する方向の断面より外形の大きな底部４１ａを有する有底筒状の補助具本体４１、及び、補助具本体４１の底部４１ａから補助具本体４１の開口端４１ｅとは反対側に延び筒部１３内に挿入可能な軸部４２を備える接続用補助具４０を具備している。
【００３８】
より詳細には、本実施形態では、底部４１ａは杭打ち器本体１０の軸方向に直交する方向の断面の外形より直径の大きな円形であり、補助具本体４１は有底円筒状である。また、軸部４２は丸棒状であり、底部４１ａに対して直角に延びている。この軸部４２は、杭打ち器本体１０の筒部１３に挿入可能な径を有するものとする必要があるが、筒部１３の内径より僅かに小さな外径を有するものとし、筒部１３内に摺動可能に嵌挿される構成とすれば、筒部１３内でのがたつきがなく好適である。なお、軸部４２の軸方向に直交する方向の断面の形状は、杭打ち器本体の筒部の断面と同形であることが望ましく、筒部の断面が四角形の場合は軸部を角棒状とすれば、筒部に軸部を挿入した状態でがたつきが生じ難く望ましい。
【００３９】
上記構成の接続用補助具４０は、次のように使用する。まず、地面に鉛直に立てた杭Ｐの頭部側を、有底筒状の補助具本体４１における筒状の部分に挿通させ、上方に向かって突出した軸部４２を、筒部１３が下方に開放するように把持した杭打ち器本体１０の筒部１３に挿通させる。このとき、図５（ａ）に示すように、軸部４２の上端が杭打ち器本体１０の中実部１１に達する場合は、杭打ち器本体１０を軸部４２に沿って上下運動させることにより（図示、矢印方向）、軸部４２が中実部１１によって打ち付けられ、軸部４２及び底部４１ａを介して杭Ｐの頭部に衝撃力が加えられるため、この力によって杭Ｐを地中に打ち込むことができる。或いは、図５（ｂ）に示すように、軸部４２が杭打ち器本体の中実部１１に達しない長さの場合であっても、底部４１ａは杭打ち器本体１０の軸方向に直交する方向の断面より外形が大きいため、杭打ち器本体１０を接続用補助具４０の軸部４２に沿って上下運動させれば、杭打ち器本体１０の下端が底部４１ａに打ち付けられる。これにより、底部４１ａを介して杭Ｐの頭部に衝撃力が加えられ、この力によって杭Ｐを地中に打ち込むことができる。従って、杭打ち器本体１０の筒部１３に挿通できない太さであっても、補助具本体４１に挿通できる太さの杭Ｐを地中に打ち込むことが可能となる。
【００４０】
また、杭打ち器本体の筒部と杭とで断面の形状が異なる場合、杭の断面形状に応じた断面形状を有する補助具本体を備える接続用補助具を使用すれば、杭のがたつきを低減して鉛直に杭を打ち込み易いものとなる。例えば、杭の断面形状が四角形である場合は、図６に示すように、有底角筒状の補助具本体４１ｂを備える接続用補助具４０ｂを使用することができる。
【００４１】
以上のように、本実施形態の杭打ち器１によれば、金属製の中実部１１の重さを利用して杭に大きな力を加えることができ、労力負担を低減して杭を地中に打ち込むことができる。また、対象とする杭に求められる要件は筒部１３に挿通できることだけであるため、対象とする杭の範囲が広く汎用性が高い。
【００４２】
また、杭打ち器１は延設体２０を複数備えているため、延設体２０を取り付けることにより、或いは、取り付ける延設体２０の数を変化させることにより、杭打ち器１の重さを調整することができる。加えて、延設体２０の着脱は、螺子軸２１と螺子溝１２、または螺子軸２１と延設体螺子溝２２との螺合及びその解除によるものであって極めて容易であるため、杭打ち器１の重さの調整を容易に行うことができる。
【００４３】
加えて、杭打ち器本体１０は軸方向に直交する方向の断面形状が同一で、突出する部分のない棒状であるため、嵩張ることなく杭と一緒に束ねることができ、運搬が容易であると共に保管の際にスペースを要しないものとなっている。また、延設体２０も、杭打ち器本体１０に取り付けた状態で、軸方向に直交する方向の断面形状が杭打ち器本体１０と同一であるため、杭打ち器本体１０に取り付けた状態で嵩張ることなく杭と一緒に束ねることができる。
【００４４】
更に、杭打ち器１は仮打ち棒３０を備えているため、これを杭の代わりに地中に打ち込んでから引き抜くことにより、その引き抜き跡に杭を容易に打ち込むことができる。そのため、端部が尖っていない杭であっても地中に打ち込むことが可能となり、対象となる杭の範囲がより広く汎用性の高いものとなっている。
【００４５】
加えて、杭打ち器１は接続用補助具４０を備えているため、杭打ち器本体１０の筒部１３に挿通できない杭であっても地中に打ち込むことができ、対象となる杭の範囲が更に広く、汎用性が極めて高いものとなっている。
【００４６】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４７】
例えば、杭打ち器本体の外周面に、ラバーシートや毛羽立った布材など摩擦係数の大きなシート材を貼着すれば、杭打ち器本体を把持して上下運動させる際に滑りにくく好適である。或いは、杭打ち器本体の外周面に、ダイヤ目、斜目、平目などのローレット加工を施すことによっても、杭打ち器本体を把持して上下運動させる際に滑りにくいものとすることができる。
【００４８】
また、仮打ち棒に、杭打ち器本体を上下運動させる際の目安になる印を付けることができる。すなわち、杭打ち器本体を仮打ち棒に沿って上下運動させる際、杭打ち器本体を上昇させ過ぎると、筒部から仮打ち棒が抜け出てしまう。そこで、例えば、仮打ち棒の外周面において、それより高くは杭打ち器本体を上昇させない方が望ましい位置に、赤や黄など目立つく色で周方向に沿って帯状に着色した目印ゾーンを設けておくことができる。これにより、作業者が杭打ち器本体を上下運動させる際、目印ゾーンが見えた段階で、杭打ち器本体を更に上昇させることをやめることができ、筒部から仮打ち棒が抜け出ることを防止することができる。また、接続用補助具の軸部に対しても、同様に目印ゾーンを設けることにより、杭打ち器本体を軸部に沿って上下運動させる際に、筒部から軸部が抜け出ることを防止することができる。
【符号の説明】
【００４９】
１  杭打ち器
１０  杭打ち器本体
１１  中実部
１２  螺子溝
１３  筒部
２０  延設体
２１  螺子軸
２２  延設体螺子溝
３０  仮打ち棒
３１  先鋭部
３２  孔部
４０，４０ｂ  接続用補助具
４１，４１ｂ  補助具本体
４１ａ  底部
４２  軸部
【先行技術文献】
【特許文献】
【００５０】
【特許文献１】特開２００２−３６３９８５号公報
【特許文献２】実用新案登録第３０６０１２２号公報
【図１】
2011184874.tif 000003
【図２】
2011184874.tif 000004
【図３】
2011184874.tif 000005
【図４】
2011184874.tif 000006
【図５】
2011184874.tif 000007
【図６】
2011184874.tif 000008
【図７】
2011184874.tif 000009